(57)【要約】【課題】無線による機器の設置位置情報とアドレス情報との対応付けを簡単かつ迅速に行うことができる無線機器を提供する。【解決手段】機器１４は、少なくとも縦横に３以上のマトリクス状に設置される複数の機器の１つとして使用される無線機器である。機器１４は、隣接する２以上の機器へ、自己のアドレス情報を含む第１の信号を無線により送信し（Ｓ５）、所定の期間内に受信した２以上の他の機器からの、各機器のアドレス情報を含む信号を無線により受信すると、その信号を送信した各機器へ自己のアドレス情報を無線により返信し（Ｓ９）、２以上の他の機器からの信号に含まれるアドレス情報の数に応じて、自己がマトリクスの４つの隅の１つに配置された機器であるか、マトリクスの２つの隅の機器間に配置された機器であるか、を判定する（Ｓ１０）。【選択図】図８
2019175558.tif 000002
【特許請求の範囲】
【請求項１】
少なくとも縦横に３以上のマトリクス状に設置される複数の機器の１つとして使用される無線機器であって、
隣接する２以上の機器へ、自己のアドレス情報を含む第１の信号を無線により送信する第１の送信部と、
所定の期間内に受信した２以上の他の前記機器からの、各機器のアドレス情報を含む第２の信号を無線により受信すると、前記第２の信号を送信した前記各機器へ前記自己のアドレス情報を無線により返信する信号返信部と、
前記２以上の他の前記機器からの前記第２の信号に含まれるアドレス情報の数に応じて、前記無線機器が前記マトリクスの４つの隅の１つに配置された機器であるか、前記マトリクスの２つの隅の機器間に配置された機器であるか、を判定する第１の判定部と、
前記無線機器が前記マトリクスの前記４つの隅の前記１つに配置された機器であるとき、前記自己のアドレス情報と、隅であることを示す隅情報とを含む第３の信号を無線により送信する第２の送信部と、
前記無線機器が前記マトリクスの前記２つの隅の機器間に配置された機器であるとき、前記自己のアドレス情報と、前記２つの隅の機器間の外縁部に配置されていることを示す外縁部情報とを含む第４の信号を無線により送信する第３の送信部と、
前記無線機器が前記マトリクスの前記２つの隅の機器間に配置された機器であるとき、前記隅情報を２つ受信すると、前記マトリクスの前記外縁部の機器群のアドレス情報と設置位置情報の対応付けのための情報を送信が終了したことを示す終了情報と、前記２つの隅の機器のアドレス情報とを含む第５の信号を送信する第４の送信部と、
前記第５の信号を４つ受信すると、前記第２の信号、前記第３の信号及び前記第４の信号に基づいて、前記無線機器が前記マトリクスの前記４つの隅の前記１つに配置された機器であるか、前記２つの隅の機器間に配置された機器であるかを判定する第２の判定部と、
を有する、無線機器。
【請求項２】
前記第２の判定部は、前記第２の信号に含まれる前記各機器のアドレス情報から、前記第３の信号に含まれるアドレス情報と前記第４の信号に含まれるアドレス情報を除いたアドレス情報の数に基づいて、前記無線機器が前記外縁部の機器群を除いた前記マトリクスの前記４つの隅の前記１つに配置された機器であるか、前記２つの隅の機器間に配置された機器であるかを判定する、請求項１に記載の無線機器。
【請求項３】
前記無線機器が前記マトリクスの中心部に配置された機器であるとき、前記無線機器が前記マトリクスの中心部に配置された機器であることを示す所定の情報を含む第６の信号を送信する第４の送信部を有する、請求項１又は２に記載の無線機器。
【請求項４】
請求項１に記載の無線機器を、複数有する無線システム。
【請求項５】
少なくとも縦横に３以上のマトリクス状に設置される無線機器である複数の機器のアドレス情報と設置位置情報とを対応付けする方法であって、
各機器が、隣接する２以上の機器へ、自己のアドレス情報を含む第１の信号を無線により送信し、
第１の期間内に受信した２以上の他の前記機器からの、各機器のアドレス情報を含む第２の信号を無線により受信すると、前記第２の信号を送信した前記各機器へ前記自己のアドレス情報を無線により返信し、
前記２以上の他の前記機器からの前記第２の信号の数に応じて、前記各機器が前記マトリクスの４つの隅の１つに配置された機器であるか、前記マトリクスの２つの隅の機器間に配置された機器であるか、を判定し、
前記各機器が前記マトリクスの前記４つの隅の前記１つに配置された機器であるとき、前記自己のアドレス情報と、隅であることを示す隅情報とを含む第３の信号を無線により送信し、
前記各機器が前記マトリクスの前記２つの隅の機器間に配置された機器であるとき、前記自己のアドレス情報と、前記２つの隅の機器間の外縁部に配置されていることを示す外縁部情報とを含む第４の信号を無線により送信し、
前記各機器が前記マトリクスの前記２つの隅の機器間に配置された機器であるとき、前記隅情報を２つ受信すると、前記マトリクスの前記外縁部の機器群のアドレス情報と設置位置情報の対応付けのための情報を送信が終了したことを示す終了情報と、前記２つの隅の機器のアドレス情報とを含む第５の信号を送信し、
前記第５の信号を４つ受信すると、前記第２の信号、前記第３の信号及び前記第４の信号に基づいて、前記各機器が前記マトリクスの前記４つの隅の前記１つに配置された機器であるか、前記２つの隅の機器間に配置された機器であるかを判定する、
複数の無線機器のアドレス情報と設置位置情報とを対応付けする方法。
【発明の詳細な説明】
【技術分野】
【０００１】
本発明の実施形態は、無線機器、無線システム及び無線機器のアドレス情報と設置位置情報とを対応付けする方法に関する。
【背景技術】
【０００２】
従来より、監視システム、制御システムなどに含まれる複数の機器と制御装置などが通信をするとき、各機器の識別情報、例えばアドレス情報を用いて通信が行われる。
【０００３】
例えば、ビルなどに設置された複数の照明器具を制御するシステムでは、制御装置は、各照明器具のアドレス情報を付加した制御コマンドを送ることによって、各照明器具を制御する。また、各照明器具がビルなどの施設内のどこに設置されているかという設置位置情報と、アドレス情報とが対応付けられることによって、制御装置は、施設に設置された各照明器具の照明制御を行うことができる。
【０００４】
施設に物理的に設置された照明器具と通信用のアドレス情報の対応付けは、例えば、制御装置と複数の照明器具が設置された後、制御装置から既知のアドレス情報の照明器具に点灯コマンドを送り、作業者がどの照明器具が点灯したかを目視で確認することによって行われ、各照明器具の設置位置情報とアドレス情報の対応関係の情報は、制御装置に登録される。  
このような対応付けのための作業は、全ての照明器具について行わなければならず、その作業には、時間が掛かるという問題がある。
【０００５】
また、近年は、無線通信機能を有する機器がある。例えば、無線通信機能を有する照明器具の場合、制御装置は、各照明器具のアドレス情報を付加した制御コマンドを無線で送ることによって、各照明器具を制御する。
【０００６】
無線機器の場合、設置された照明器具とアドレス情報の対応付けは、例えば照明器具からビーコン信号などを発信させ、無線通信機能を有するタブレット端末などの設定装置が、そのビーコン信号を受信して、ビーコン信号に含まれるアドレス情報に基づいて、設置された照明器具とアドレスの対応付けを行うこともできる。
【０００７】
ビーコン信号の伝搬距離は、ビーコン信号を出力する送信器の電波の出力強度に概ね依存する。また、設定装置において受信されたビーコン信号のうち、設定装置に最も近い機器からのビーコン信号の受信強度が最も大きくなると考えられる。
【０００８】
しかし、ビーコン信号の受信強度を利用して、設置された機器の設置位置情報とアドレス情報の対応付けを行う場合であっても、設置された機器の設置位置情報とアドレス情報の対応付けは、機器毎に行わなければならず、その作業は、繁雑であり、時間が掛かってしまう、という問題がある。
【先行技術文献】
【特許文献】
【０００９】
【特許文献１】特開２００６−９３０９８号公報
【発明の概要】
【発明が解決しようとする課題】
【００１０】
そこで、本実施形態は、無線による機器の設置位置情報とアドレス情報との対応付けを簡単かつ迅速に行うことができる無線機器、無線システム及び無線機器のアドレス情報と設置位置情報とを対応付けする方法を提供することを目的とする。
【課題を解決するための手段】
【００１１】
実施形態の無線機器は、少なくとも縦横に３以上のマトリクス状に設置される複数の機器の１つとして使用される無線機器であって、隣接する２以上の機器へ、自己のアドレス情報を含む第１の信号を無線により送信する第１の送信部と、所定の期間内に受信した２以上の他の前記機器からの、各機器のアドレス情報を含む第２の信号を無線により受信すると、前記第２の信号を送信した前記各機器へ前記自己のアドレス情報を無線により返信する信号返信部と、前記２以上の他の前記機器からの前記第２の信号に含まれるアドレス情報の数に応じて、前記無線機器が前記マトリクスの４つの隅の１つに配置された機器であるか、前記マトリクスの２つの隅の機器間に配置された機器であるか、を判定する第１の判定部と、前記無線機器が前記マトリクスの前記４つの隅の前記１つに配置された機器であるとき、前記自己のアドレス情報と、隅であることを示す隅情報とを含む第３の信号を無線により送信する第２の送信部と、前記無線機器が前記マトリクスの前記２つの隅の機器間に配置された機器であるとき、前記自己のアドレス情報と、前記２つの隅の機器間の外縁部に配置されていることを示す外縁部情報とを含む第４の信号を無線により送信する第３の送信部と、前記無線機器が前記マトリクスの前記２つの隅の機器間に配置された機器であるとき、前記隅情報を２つ受信すると、前記マトリクスの前記外縁部の機器群のアドレス情報と設置位置情報の対応付けのための情報を送信が終了したことを示す終了情報と、前記２つの隅の機器のアドレス情報とを含む第５の信号を送信する第４の送信部と、前記第５の信号を４つ受信すると、前記第２の信号、前記第３の信号及び前記第４の信号に基づいて、前記無線機器が前記マトリクスの前記４つの隅の前記１つに配置された機器であるか、前記２つの隅の機器間に配置された機器であるかを判定する第２の判定部と、を有する。
【発明の効果】
【００１２】
本実施形態によれば、無線による機器の設置位置情報とアドレス情報との対応付けを簡単かつ迅速に行うことができる無線機器、無線システム及び無線機器のアドレス情報と設置位置情報とを対応付けする方法を提供することができる。
【図面の簡単な説明】
【００１３】
【図１】実施形態に係わる無線システムの構成図である。
【図２】実施形態に係わる、複数の機器の設置位置を示すレイアウト図である。
【図３】実施形態に係わる、無線機器である照明器具の構成を示すブロック図である。
【図４】実施形態に係わる、モード毎の電波の出力強度データを格納するテーブルデータの構造を示す図である。
【図５】実施形態に係わる、ビル内に設置された複数の機器の設置位置情報とアドレス情報の対応付けの方法を説明するための図である。
【図６】実施形態に係わる設定装置の構成を示すブロック図である。
【図７】実施形態に係わる、ｎ×ｎのマトリックス状にビルの天井に設置された複数の機器の位置を示す模式的レイアウト図である。
【図８】実施形態に係わる、各機器における設定モードにおける処理の流れの例を示すフローチャートである。
【図９】実施形態に係わる、各機器における設定モードにおける処理の流れの例を示すフローチャートである。
【図１０】実施形態に係わる、各機器における設定モードにおける処理の流れの例を示すフローチャートである。
【図１１】実施形態に係わる、各機器における設定モードにおける処理の流れの例を示すフローチャートである。
【図１２】実施形態に係わる、設定装置の表示画面に表示されたレイアウト図を含む設定画面の例を示す図である。
【図１３】実施形態に係わる、隅を除く外縁部に配置された機器における信号の送受信を説明するための図である。
【図１４】実施形態に係わる、外縁部の複数の機器の内側に配置された機器における信号の送受信を説明するための図である。
【図１５】図１０のＳ３３において、機器が隅の機器のアドレス情報を４つ受信したときの場合の例を説明するための図である。
【発明を実施するための形態】
【００１４】
本実施形態の無線機器は、少なくとも縦横に３以上のマトリクス状に設置される複数の機器の１つとして使用される無線機器であって、隣接する２以上の機器へ、自己のアドレス情報を含む第１の信号を無線により送信する第１の送信部と、所定の期間内に受信した２以上の他の前記機器からの、各機器のアドレス情報を含む第２の信号を無線により受信すると、前記第２の信号を送信した前記各機器へ前記自己のアドレス情報を無線により返信する信号返信部と、前記２以上の他の前記機器からの前記第２の信号に含まれるアドレス情報の数に応じて、前記無線機器が前記マトリクスの４つの隅の１つに配置された機器であるか、前記マトリクスの２つの隅の機器間に配置された機器であるか、を判定する第１の判定部と、前記無線機器が前記マトリクスの前記４つの隅の前記１つに配置された機器であるとき、前記自己のアドレス情報と、隅であることを示す隅情報とを含む第３の信号を無線により送信する第２の送信部と、前記無線機器が前記マトリクスの前記２つの隅の機器間に配置された機器であるとき、前記自己のアドレス情報と、前記２つの隅の機器間の外縁部に配置されていることを示す外縁部情報とを含む第４の信号を無線により送信する第３の送信部と、前記無線機器が前記マトリクスの前記２つの隅の機器間に配置された機器であるとき、前記隅情報を２つ受信すると、前記マトリクスの前記外縁部の機器群のアドレス情報と設置位置情報の対応付けのための情報を送信が終了したことを示す終了情報と、前記２つの隅の機器のアドレス情報とを含む第５の信号を送信する第４の送信部と、前記第５の信号を４つ受信すると、前記第２の信号、前記第３の信号及び前記第４の信号に基づいて、前記無線機器が前記マトリクスの前記４つの隅の前記１つに配置された機器であるか、前記２つの隅の機器間に配置された機器であるかを判定する第２の判定部と、を有する。
【００１５】
以下、図面を参照して実施形態を説明する。
（構成）
図１は、本実施形態に係わる無線システムの構成図である。本実施形態の無線システム１は、ビル内の照明器具の制御及び監視を行う制御システムである。
【００１６】
無線システム１は、制御システムであり、センタ装置としての管理装置１１と、管理装置１１と通信可能な複数のゲートウエイ装置１２と、各ゲートウエイ装置１２に接続された制御装置１３と、各制御装置１３と無線通信可能な複数の機器１４とを含んで構成される。
【００１７】
管理装置１１は、ＬＡＮなどの通信回線Ｌ１により複数のゲートウエイ装置１２と接続されている。  
各ゲートウエイ装置１２は、通信回線Ｌ２により制御装置１３と接続されている。
【００１８】
各制御装置１３は、所定のプロトコルを利用した無線通信回線ＷＬにより複数の機器１４と通信可能に接続されている。ここでは、所定のプロトコルは、ブルートゥース（登録商標）ローエナジーの規格に沿ったプロトコルである。  
なお、所定のプロトコルは、ブルートゥース（登録商標）ローエナジーの規格以外のプロトコルでもよい。
【００１９】
管理装置１１は、例えばパーソナルコンピュータであり、キーボード、マウス、モニタなどを有する。無線システム１の管理者は、そのモニタを見ながら、実行する各種制御プログラム、タイムスケジュール、等を各ゲートウエイ装置１２に対して設定したりすることができる。さらに、管理者は、各機器１４の各種設定もすることができる。
【００２０】
ゲートウエイ装置１２は、例えばボックスコンピュータであり、通信回線Ｌ１を介して受信した管理装置１１からの各種コマンド信号を中継したり、受信したコマンド信号に応じた処理を実行すると共に、タイムスケジュールに応じたコマンド信号を制御装置１３へ出力したりする。
【００２１】
制御装置１３は、例えばマイクロコンピュータを含み、ゲートウエイ装置１２からのコマンド信号に応じて制御コマンド信号を生成して、無線通信回線ＷＬへ出力すると共に、無線通信回線ＷＬを介して各機器１４の状態信号及び各種センサからの検出信号を受信する。各機器１４の監視及び制御のため信号は、制御装置１３から無線通信回線ＷＬを介して送信される。
【００２２】
制御装置１３と各機器１４間の無線通信では、各機器１４の有するアドレス情報を用いて行われる。アドレス情報は、複数の機器１４と通信するために、各機器１４を識別するための識別情報である。よって、無線通信では、機器１４のアドレス情報を付加したコマンド信号を送信することによって、制御装置１３は、所望の機器１４に対して所定のコマンドを送ることができる。すなわち、制御装置１３は、アドレス情報を用いて各機器１４を制御する。各機器１４は、受信したコマンド信号に含まれるアドレス情報に基づいて自己宛てのコマンドであるかを判定することができる。
【００２３】
なお、図１では、ゲートウエイ装置１２と制御装置１３は、別体であるが、ゲートウエイ装置１２と制御装置１３の両方の機能を有する１つの制御装置として構成してもよい。
【００２４】
複数の機器１４は、照明器具１５、照度センサ１６、人検出センサ１７などを含む。各機器１４は、無線通信機能を有する無線装置である。  
ゲートウエイ装置１２は、ビル内のエリア毎にタイムスケジュールに従ってビル内の各照明器具１５を制御するように、通信回線Ｌ２を介して制御装置１３を制御する。
【００２５】
また、ゲートウエイ装置１２は、制御装置１３を介して複数の機器１４からの情報を取得すると共に、管理装置１１からの送信要求に応じて、要求された情報を管理装置１１へ送信する。
【００２６】
複数の制御装置１３及び複数の機器１４がビル内に設置される。上述したように、各制御装置１３には、機器１４として、複数の照明器具１５、複数の照度センサ１６、複数の人検出センサ１７が接続される。
【００２７】
各制御装置１３は、人検出センサ１７の人検出信号などに基づいて、照明器具１５のオン／オフ制御あるいは調光制御を行う。さらに、各制御装置１３は、管理装置１１からのコマンドに応じて、照明器具１５を点灯したり、消灯したりするための制御コマンドを無線通信回線ＷＬに出力する。  
また、各制御装置１３は、管理装置１１から各機器１４の設定情報を受信すると、各機器１４へ送信する。
【００２８】
各機器１４は２つの動作モードを有し、その２つは通常モードと設定モードである。  
通常モードのとき、上述したように、各機器１４は、制御装置１３と通信して、制御装置１３からの制御コマンドに応じて動作する。
【００２９】
設定モードは、各機器の設置位置情報とアドレス情報とを対応付けるときのモードである。設定モードでは、各機器１４の電波の出力強度は、通常モード時の電波の出力強度よりも小さい。
図１における設定装置３１は、設定モードのときに使用される。
【００３０】
図２は、複数の機器の設置位置を示すレイアウト図である。レイアウト図は、管理装置１１のモニタなどに表示される。ビル内に複数の部屋があれば、レイアウト図は、部屋毎に作成される。レイアウト図は、部屋内に設置された１又は２以上の機器１４の配置位置を示す。
【００３１】
図２のレイアウト図は、ビルの１つの部屋の平面図を示し、矩形の部屋内に、複数の照明器具１５、複数の照度センサ１６、複数の人検出センサ１７が、少なくとも縦横に３以上のマトリクス状に設置されている。図２の場合、複数の機器１４が、７×７のマトリクス状に配置されている。各機器１４は、少なくとも縦横に３以上のマトリクス状に設置される複数の機器の１つとして使用される無線機器である。
【００３２】
レイアウト図は、照明制御と関係付けられており、管理者がレイアウト図中に表示された機器１４を選択して、選択した機器１４へコマンドを送信して、照明制御に用いることができる。すなわち、レイアウト図は、管理者が機器１４の制御あるいは監視にも使うことができる。
【００３３】
管理装置１１、ゲートウエイ装置１２及び制御装置１３は、各機器１４の設置位置情報と、各機器１４のアドレス情報を対応付ける対応関係の情報を有している。対応関係の情報は、ゲートウエイ装置１２及び制御装置１３の各々のメモリに格納される。
【００３４】
対応関係の情報は、後述する設定装置３１により作成されて、設定装置３１からゲートウエイ装置１２及び制御装置１３に送信されてそれぞれのメモリに記憶される。  
なお、対応関係の情報は、インターネット上のクラウドに含まれるサーバ等に記憶されてもよい。
【００３５】
以上のように、管理装置１１は、ゲートウエイ装置１２に各種コマンドを送信することにより、各機器１４を制御したり、各機器１４からの情報を取得したりすることができる。各種コマンドは、通信する機器１４のアドレス情報を含む。
【００３６】
照明制御の場合、例えば、照度センサ１６がどのエリアの照度を検出しているのかが、予め部屋のレイアウト上で設定されている。ゲートウエイ装置１２及び制御装置１３は、その照度センサ１６の検出照度に基づいて、その対応するエリアを照明する１又は２以上の照明器具１５の調光制御を行う。
【００３７】
よって、管理装置１１、ゲートウエイ装置１２及び制御装置１３は、ビル内の各機器１４の設置位置情報とアドレス情報の対応関係の情報に基づいて、ビルの照明制御を行うことができる。
【００３８】
そして、管理装置１１には、ビル内の機器のレイアウト図、設備構成図などのデータが記憶装置に記憶されており、管理者は、これらのデータを、管理装置１１のモニタに表示させることによって、各種機器１４の監視及び制御を行うことができる。
【００３９】
次に機器１４の構成を説明する。ここでは、照明器具１５の構成について説明する。  
図３は、無線機器である照明器具１５の構成を示すブロック図である。  
照明器具１５は、制御部２１と、無線通信インターフェース回路（以下、無線通信Ｉ／Ｆと略す）２２と、電源回路２３と、発光素子部２４を有している。なお、照明器具１５などの各機器１４は、図示しない電源線からの電力の供給を受けている。
【００４０】
制御部２１は、プロセッサ２１ａと、記憶装置２１ｂを有する。  
プロセッサ２１ａは、中央処理装置（以下、ＣＰＵという）、ＲＯＭ、ＲＡＭなどのメモリを含む。ＣＰＵがＲＯＭに格納されたプログラムを実行することにより、照明器具１５の各種機能が実現される。
【００４１】
プロセッサ２１ａのＲＯＭ中に、照明器具１５を特定するために、管理者によって決められて書き込まれたアドレス情報も格納されている。このアドレス情報は、制御装置１３との無線通信に用いられる。  
なお、プロセッサ２１ａは、ＦＰＧＡ（Ｆｉｅｌｄ  Ｐｒｏｇｒａｍｍａｂｌｅ  Ｇａｔｅ  Ａｒｒａｙ）などの集積回路により構成されてもよい。
【００４２】
さらになお、照明器具１５は、図３において点線で示すように、書き換え可能で不揮発性のメモリ２１ｃを有して、そのメモリ２１ｃにアドレス情報を格納するようにしてもよい。プロセッサ２１ａは、メモリ２１ｃからアドレス情報を読み出して、制御装置１３との無線通信に利用する。
【００４３】
無線通信Ｉ／Ｆ２２は、制御装置１３と所定のプロトコルで無線通信を行う回路を含む無線モジュールである。無線通信Ｉ／Ｆ２２は、例えばブルートゥース（登録商標）ローエナジーの規格に応じた通信を行う。
【００４４】
電源回路２３は、発光素子部２４への電力を供給する回路である。  
発光素子部２４は、照明用の１又は２以上の発光ダイオード（以下、ＬＥＤという）などを有する。
【００４５】
制御部２１は、無線通信Ｉ／Ｆ２２を介して制御装置１３からのコマンドを受信して、コマンド信号に応じた制御信号を生成して、電源回路２３に出力する。  
なお、後述する対応付け処理が実行されて、後述する設定装置３１において各機器１４の設置位置情報とアドレス情報の対応付けがされると、制御部２１は、対応付けがされたことを示す対応付け済みフラグをプロセッサ２１ａのＲＡＭ又は記憶装置２１ｂに格納する。
【００４６】
電源回路２３は、制御部２１からの制御信号に応じて駆動電流を生成して、発光素子部２４へ出力する。  
また、照明器具１５は、無線通信Ｉ／Ｆ２２を介して、制御装置１３からのコマンド信号を受信可能であると共に、調光状態信号などの各種情報を制御装置１３へ送信可能である。
【００４７】
制御部２１は、無線通信により電波を受信するときの受信強度の設定、電波を送信するときの出力強度の設定を、無線通信Ｉ／Ｆ２２へ行う。  
ここでは、各機器１４は、電波を２つの強度レベルで送信可能となっている。
【００４８】
上述したように、各機器１４は、２つの動作モードを有している。２つの動作モードは、設定モードと通常モードである。  
設定モードは、後述する設定装置３１において各機器１４の設置位置情報とアドレス情報との対応関係を設定するときの動作モードである。
【００４９】
通常モードは、機器１４の設置位置情報とアドレス情報との対応関係が設定がされた後に、機器１４が制御装置１３からのコマンドを受信して、受信したコマンドに応じた動作を実行可能な動作モードである。
【００５０】
なお、各機器１４は、各機器１４の電源スイッチがオフからオンにされたときは、動作モードは、設定モードとなる。通常モードでは、機器１４は、制御装置１３と無線通信を行う。
【００５１】
制御部２１は、動作モードに応じて、電波の送信時の出力強度を変更する。すなわち、各機器１４では、設定モードのときの第１の出力強度と、通常モードのときの第２の出力強度とが切り替え可能になっている。
【００５２】
そのため、制御部２１は、モード毎の電波の出力強度データを有している。モード毎の電波の出力強度データは、例えばテーブルデータとして、ＲＯＭなどに記憶されている。  
なお、図３において点線で示すように、照明器具１５に、発光部としてランプ２５を設けてもよい。
【００５３】
照度センサ１６及び人検出センサ１７などの他の機器１４には、発光部としてランプ２５が設けられる。  
図４は、モード毎の電波の出力強度データを格納するテーブルデータの構造を示す図である。
【００５４】
図４に示すように、テーブルＴＢＬには、通常モード時の出力強度データＬ１と、設定モード時の出力強度データＬ０が格納されている。出力強度データＬ０は、Ｌ１よりも小さい。
【００５５】
制御部２１は、通常モードのとき、テーブルＴＢＬから出力強度データＬ１を読み出して無線通信Ｉ／Ｆ２２に設定する。無線通信Ｉ／Ｆ２２は、その設定された出力強度データＬ１で電波を出力する。
【００５６】
制御部２１は、設定モードのとき、テーブルＴＢＬから出力強度データＬ０を読み出して無線通信Ｉ／Ｆ２２に設定する。無線通信Ｉ／Ｆ２２は、その設定された出力強度データＬ０で電波を出力する。
【００５７】
なお、電波の受信時の受信強度は、複数の機器１４において、動作モードに関わりなく一定である。  
さらに、無線通信Ｉ／Ｆ２２がメッシュネットワークにも対応可能であり、制御部２１は、上述した通常モード時の受信強度と、メッシュネットワーク用の受信強度の２つの受信強度を、無線通信Ｉ／Ｆ２２に設定可能となっている。
【００５８】
制御部２１は、設定モードのとき、無線通信Ｉ／Ｆ２２を制御して、電波の出力強度を、周囲の所定の距離の範囲内にのみ到達するレベルにする。ここでは、図２において、二点鎖線で示すように、機器１４から半径ｒの距離内の隣接する８つの機器１４のみに電波が到達するレベルに各機器１４の電波の出力強度が設定される。ここで、機器に電波が到達するレベルとは一定以上の電波強度であり、所定の閾値を超える場合に電波が到達したものとみなす場合を含む。  
よって、各機器１４は、設定モードでは、周囲の、隣接する最大８つの機器１４と通信が可能となる。
【００５９】
照度センサ１６，人検出センサ１７等の他の機器１４も、無線通信Ｉ／Ｆ２２と同様の無線通信Ｉ／Ｆと制御部２１を有し、制御装置１３からのコマンドを受信可能であると共に、センサの検出信号を制御装置１３へ送信可能である。照度センサ１６、人検出センサ１７等の他の機器１４も、上述した２つの動作モードを有しており、制御部２１は、設定モードのとき、無線通信Ｉ／Ｆ２２を制御して、半径ｒの距離内の機器のみに到達する電波を出力する。  
すなわち、各機器１４は、所定の通信プロトコルで通信するための無線通信Ｉ／Ｆ２２を有する。
【００６０】
無線システム１において、ビル内に設置された各機器１４の設置位置情報と、アドレス情報との対応付けを行うために、作業者が、ビル内で設定装置を持って、後述する作業を行う。
【００６１】
なお、ここでは、各機器１４のアドレス情報は、制御装置１３が各機器１４を特定するため機器１４毎に設定され、プロセッサ２１ａに書き込まれた制御用アドレスであるが、各機器１４のアドレス情報として、無線通信Ｉ／Ｆ２２の有する無線通信用のユニークな通信用アドレスを用いてもよい。
【００６２】
図５は、ビル内に設置された複数の機器１４の設置位置情報とアドレス情報の対応付けの方法を説明するための図である。図５では、室内を水平方向から見た図であり、床Ｆと、複数の機器１４が設置された天井Ｃとが示されている。
【００６３】
図５では、室内の天井Ｃに、照明器具１５、人検出センサ１７等が設置されている。  
作業者Ｐは、ビル内において対応付けを行う機器１４の近傍に立って、設定装置３１により、各機器１４との通信を行う。設定装置３１は、例えば、ブルートゥース（登録商標）ローエナジーの規格に応じた通信が可能なタブレット端末、あるいはスマートフォンである。
【００６４】
後述するように、電源がオンされたときの機器１４の動作モードは、設定モードである。よって、機器１４が設定モードにあるとき、各機器１４からの電波の出力強度は、上述したように、半径ｒの距離までしか届かない程小さい。
【００６５】
よって、各機器１４は、電源がオンされた後、半径ｒの距離までしか届かないビーコン信号を所定の周期で送信している。  
図６は、設定装置３１の構成を示すブロック図である。  
設定装置３１は、制御部４１と、無線通信Ｉ／Ｆ４２と、液晶表示装置（以下、ＬＣＤという）４３と、タッチパネル装置４４を有している。
【００６６】
制御部４１は、プロセッサ４１ａと、記憶装置４１ｂを有する。  
プロセッサ４１ａは、ＣＰＵ、ＲＯＭ、ＲＡＭなどのメモリを含む。ＣＰＵがＲＯＭに格納されたプログラムを実行することにより、後述する対応付け処理などの各種処理が実行される。
【００６７】
なお、プロセッサ４１ａは、ＦＰＧＡ（Ｆｉｅｌｄ  Ｐｒｏｇｒａｍｍａｂｌｅ  Ｇａｔｅ  Ａｒｒａｙ）などの集積回路により構成されてもよい。  
無線通信Ｉ／Ｆ４２は、制御装置１３と各機器１４と、所定のプロトコルで無線通信を行う回路を含む無線通信部である。
【００６８】
ここでは、無線通信Ｉ／Ｆ４２は、例えばブルートゥース（登録商標）ローエナジー規格に応じた通信を行う無線モジュールである。  
制御部４１は、無線通信Ｉ／Ｆ４２を介して電波信号を受信する。また、制御部４１は、後述する対応関係の情報を、無線通信Ｉ／Ｆ４２を介してゲートウエイ装置１２及び制御装置１３へ送信することができる。
【００６９】
ＬＣＤ４３は、制御部４１で生成された画像を表示する表示器である。  
タッチパネル装置４４は、ＬＣＤ４３の画面上に配置され、作業者が指などでタッチしたタッチパネル装置４４のタッチ位置情報を出力する。
【００７０】
制御部４１は、ＬＣＤ４３の画面上に各種画像、操作ボタン、チェックボックスなどを表示し、タッチパネル装置４４からのタッチ位置情報に基づき、作業者がタッチした画面上の位置を判定する。よって、制御部４１は、タッチパネル装置４４からのタッチ位置情報に基づいて、操作ボタンの操作を検出して、その操作に対応する処理を実行可能となっている。
【００７１】
各種処理のプログラムは、記憶装置４１ｂに記憶され、プロセッサ４１ａにより読み出されて実行される。  
設定装置３１は、無線通信Ｉ／Ｆ４２を介して、各機器１４からの電波信号を受信すると共に、各種コマンド信号を各機器１４へ送信可能である。
【００７２】
設定装置３１の電波の出力強度は、複数の機器１４だけでなく、ゲートウエイ装置１２及び制御装置１３へ電波を送ることができる強度である。  
記憶装置４１ｂには、ビル内のレイアウト図と共に、各機器１４のビル内における設置位置情報が格納されている。後述する処理により、各機器１４の設置位置情報に各機器１４のアドレス情報が対応付けられて、記憶装置４１ｂに記憶される。
【００７３】
なお、ここでは、設定装置３１は、タブレット端末であるが、専用機でもよい。  
（作用）
次に、対応付け処理について説明する。  
以下、説明を分かり易くするために、対応付け処理の流れを、模式的な配置図を使って説明する。
【００７４】
図７は、ｎ×ｎのマトリックス状にビルの天井に設置された複数の機器１４の位置を示す模式的レイアウト図である。ｎは、３以上の正の整数であり、ここでは７である。複数の機器１４は、照明器具１５、照度センサ１６、人検出センサ１７等である。
【００７５】
図８〜図１１は、各機器１４における設定モードにおける処理の流れの例を示すフローチャートである。  
図８の処理は、各機器１４の電源スイッチがオンに操作されると実行される。作業者Ｐは、全ての機器１４の電源スイッチをオンに操作すると、各機器１４は、電源をオンする（ステップ（以下、Ｓと略す）１）。
【００７６】
制御部２１は、対応付けが済んでいるか、具体的には、対応付け済みフラグがプロセッサ２１ａのＲＡＭ又は記憶装置２１ｂに格納されているかを判定する（Ｓ２）。上述したように、設定モードが実行されて、機器１４の設置位置情報とアドレス情報の対応付けがされると、対応付け済みフラグがＲＡＭなどに設定されて格納される。よって、Ｓ２では、この対応付け済みフラグが格納されているか否かがチェックされる。
【００７７】
対応付けが既にされているとき（Ｓ２：ＹＥＳ）、制御部２１は、動作モードを通常モードに設定し（Ｓ３）、図８の処理は終了する。  
対応付けがされていないとき（Ｓ２：ＮＯ）、制御部２１は、動作モードを設定モードに設定する（Ｓ４）。
【００７８】
動作モードが設定モードになると、上述したように、無線通信Ｉ／Ｆ２２から送信される電波の出力強度は、自己に隣接する半径ｒ内の最大８つの機器１４のみに電波が到達するレベルに低下される。
【００７９】
制御部２１は、Ｓ４の後、自己のアドレス情報を含むビーコン信号Ｘ１の送信を開始する（Ｓ５）。ビーコン信号Ｘ１の送信は、所定周期で継続される。よって、Ｓ５の処理は、隣接する２以上の機器１４へ、自己のアドレス情報を含むビーコン信号Ｘ１を無線により送信する送信部を構成する。
【００８０】
制御部２１は、Ｓ５の後、所定時間を計時するタイマをセットし（Ｓ６）、そのタイマがタイムアウトしたかを判定する（Ｓ７）。タイマは、例えば１分間である。  
タイマがタイムアウトしなければ（Ｓ７：ＮＯ）、制御部２１は、他の機器１４からのアドレス情報を受信したか否かを判定する（Ｓ８）。
【００８１】
図７の全ての機器１４が設定モードで図８の処理を実行するので、各機器１４は、アドレス情報を含むビーコン信号Ｘ１を送信すると共に、周囲の複数の機器１４からのアドレス情報を含むビーコン信号Ｘ１を受信する。
【００８２】
制御部２１は、他の機器１４からのアドレス情報を含むビーコン信号Ｘ１を受信しなければ（Ｓ８：ＮＯ）、処理は、Ｓ７に戻る。  
制御部２１は、他の機器１４からのアドレス情報を受信すると（Ｓ８：ＹＥＳ）、制御部２１は、受信したビーコン信号Ｘ１に含まれるアドレス情報を、周囲アドレス情報としてＲＡＭに格納すると共に、アドレス情報を送信した他の機器１４へ自己のアドレス情報を返信し（Ｓ９）、処理は、Ｓ７に戻る。
【００８３】
すなわち、Ｓ９の処理は、ビーコン信号Ｘ１の送信後、所定の期間内に受信した２以上の他の機器１４からの、各機器１４のアドレス情報を含むビーコン信号Ｘ１を無線により受信すると、ビーコン信号Ｘ１を送信した各機器１４へ自己のアドレス情報を無線により返信する信号返信部を構成する。
【００８４】
図７に示す７×７のマトリクス状の配置の場合、隅の４つの機器１４ｃ１、１４ｃ２、１４ｃ３、１４ｃ４は、図７において点線で示すように、周りの３つの機器１４からのビーコン信号Ｘ１に含まれるアドレス情報を受信する。よって、隅の４つの機器１４ｃ１、１４ｃ２、１４ｃ３、１４ｃ４は、隣接する３つの機器１４のアドレス情報をＲＡＭに記憶する。
【００８５】
図７に示す７×７のマトリクス状の配置の場合、隅の４つの機器１４ｃ１、１４ｃ２、１４ｃ３、１４ｃ４を除く外縁部の２０個の機器１４は、周りの５つの機器１４からアドレス情報を受信する。例えば、機器１４ｘ１は、図７において点線で示すように、周りの５つの機器１４からアドレス情報を受信する。よって、隅の４つの機器１４ｃ１、１４ｃ２、１４ｃ３、１４ｃ４を除く外縁部の２０個の機器１４は、隣接する５つの機器１４のアドレス情報をＲＡＭに記憶する。
【００８６】
図７に示す７×７のマトリクス状の配置の場合、外縁部の２４個の機器の内側の２５個の機器１４は、周りの８つの機器１４からアドレス情報を受信する。例えば、機器１４ｘ２は、図７において点線で示すように、周りの８つの機器１４からアドレス情報を受信する。よって、外縁部の２４個の機器の内側の２５個の機器１４は、隣接する８つの機器１４のアドレス情報をＲＡＭに記憶する。
【００８７】
タイマがタイムアウトすると（Ｓ７：ＹＥＳ）、制御部２１は、Ｓ８で受信しＲＡＭに格納した周りの機器１４からのアドレス情報の数を判定する（Ｓ１０）。  
Ｓ１０において、受信した周りの機器１４からのアドレス情報の数が３個であるときは、当該機器１４は、隅に配置された機器であると、制御部２１は判定する（Ｓ１１）。
【００８８】
Ｓ１０において、受信した周りの機器１４からのアドレス情報の数が５個であるときは、当該機器１４は、隅を除く外縁部に配置された機器であると、制御部２１は判定する（Ｓ１２）。
【００８９】
Ｓ１０において、受信した周りの機器１４からのアドレス情報の数が８個であるときは、当該機器１４の位置は不明であると、制御部２１は判定する（Ｓ１３）。  
以上のように、Ｓ１０の処理は、２以上の他の機器１４からのビーコン信号Ｘ１に含まれるアドレス情報の数に応じて、自己がマトリクスの４つの隅の１つに配置された機器であるか、マトリクスの２つの隅の機器間に配置された機器であるか、を判定する判定部を構成する。
【００９０】
隅に配置された機器である判定された機器１４の制御部２１は、電波の出力強度をＬ１に高くして、自己のアドレス情報を含む信号を設定装置３１へ送信する（Ｓ２１）。この信号は、Ｓ５において送信されるビーコン信号とは異なる情報を含み、隅に配置されたと判定した機器１４からの信号であることを示す情報を含む。
【００９１】
なお、Ｓ２１において、制御部２１は、自己のアドレス情報を含む信号を送信するときの電波の出力強度を高くしなくてもよい。例えば、作業者が、設定装置３１を持って隅にある４つの機器１４の近傍に行って、それぞれのアドレス情報を含む信号を、設定装置３１が受信するようにしてもよい。
【００９２】
図１２は、設定装置３１の表示画面に表示されたレイアウト図を含む設定画面の例を示す図である。  
図１２の設定画面は、作業者が所定のコマンドを設定装置３１に与えることによって設定装置３１のＬＣＤ４３に表示される。
【００９３】
図７において、隅にあると判定された４つの機器１４ｃ１，１４ｃ２、１４ｃ３、１４ｃ４は、Ｓ２１において自己のアドレス情報を含む信号を送信するため、設定装置３１は、４つのアドレス情報を受信する。
【００９４】
図１２において、設定画面５１は、アドレス情報表示部５２と、レイアウト表示部５３と、点滅ボタン５４と、対応付けボタン５５と、終了ボタン５６とを含む。  
アドレス情報表示部５２は、４つのアドレス情報と共に、選択のための４つのチェックボックス５２ａを有している。
【００９５】
作業者は、設定装置３１において、点滅させたい隅の機器１４のチェックボックス５２ａをタッチして選択した状態で点滅ボタン５４をタッチすると、設定装置３１から選択されたアドレス情報の機器１４へ点滅コマンドが送信される。  
その点滅コマンドを受信した機器１４は、照明器具１５であれば、発光素子部２４を点滅させる。
【００９６】
その結果、作業者は、実際の点滅している機器１４の位置が目視により確認することができる。  
よって、作業者は、点滅している機器１４の設置位置とアドレス情報との対応付けを行うことができる。
【００９７】
具体的には、作業者は、図１２において、点滅している機器１４に対応する機器１４をレイアウト表示部５３上で選択して、対応付けボタン５５をタッチすると、チェックボックス５２ａでチェックして選択したアドレスと、レイアウト表示部５３上で選択された機器１４の設置位置情報とを対応させたデータが作成される。そのデータは、記憶装置４１ｂ内のテーブルデータとして、所定のテーブルに格納される。
【００９８】
図１２では、アドレス「００１１０１」に対応するチェックボックス５２ａがチェックされ、レイアウト表示部５３において黒で塗りつぶされた機器１４、図７の場合は、機器１４ｃ１、が選択されている。図１２において、対応付けボタン５５がタッチされると、機器１４ｃ１の設置位置情報とアドレス「００１１０１」とが対応付けられる。
【００９９】
同様に、他の隅の機器１４についても、アドレス情報表示部５２においてアドレスを選択して点滅させ、設定画面上でレイアウト表示部５３において点滅している機器１４を選択して、対応付けボタン５５をタッチすることによって、対応付けが行われる。
【０１００】
このようにして対応付けられた機器の設置位置情報とアドレス情報の対応関係の情報は、記憶装置４１ｂ内のテーブルデータに格納される。  
作業者が、４つの隅の機器１４の対応付けを行った後、終了ボタン５６にタッチすると、制御部４１は、４つの隅の機器１４に対して、設定終了通知を送信する。
【０１０１】
図９に戻り、制御部２１は、設定装置３１における設定が終了したかを判定する（Ｓ２２）。Ｓ２２の判定は、設定装置３１からの設定終了通知を受領したか否かに基づいて行われる。
【０１０２】
Ｓ２１とＳ２２の処理は、４つの隅の機器において実行されるので、この時点で、設定装置３１は、隅の機器１４の設置位置情報と、アドレス情報の対応関係の情報を保持している。
【０１０３】
設定が終了していないと判定されると（Ｓ２２：ＮＯ）、制御部２１は、設定が終了するまで待つ。  
設定が終了したと判定されると（Ｓ２２：ＹＥＳ）、制御部２１は、自己のアドレス情報と周囲の機器１４から受信したアドレス情報の数とを含むビーコン信号Ｘ２を送信する（Ｓ２３）。
【０１０４】
なお、Ｓ２３のビーコン信号Ｘ２の電波の出力強度は、Ｓ５のビーコン信号Ｘ１の電波の出力強度と同じである。  
例えば、図１０における機器１４ｃ１は、「００１１０１，３」の情報を含むビーコン信号Ｘ２を送信する。すなわち、機器１４ｃ１は、アドレス情報が「「００１１０１」で、周囲の機器１４からのアドレス情報の数は「３」であることを示す情報を含むビーコン信号Ｘ２を送信する。アドレス情報の数が「３」は、その機器１４がマトリクスの４つの隅の１つであることを示す隅情報である。
【０１０５】
よって、Ｓ２３の処理は、自己がマトリクスの４つの隅の１つに配置された機器であるとき、自己のアドレス情報と、隅であることを示す隅情報とを含むビーコン信号Ｘ２を無線により送信する送信部を構成する。
【０１０６】
図９のＳ２４〜Ｓ２７の処理については、後述する。  
図８のＳ１２において、隅を除く外縁部に配置された機器１４の制御部２１は、図１０の処理を実行する。
【０１０７】
隅を除く外縁部に配置された機器１４の制御部２１は、隅の機器１４からのビーコン信号Ｘ２又は後述するＸ３を受信したか否かを判定する（Ｓ３１）。  
上述した例では、隅の機器１４ｃ１の隣の機器１４は、機器１４ｃ１から「００１１０１，３」の情報を含むビーコン信号Ｘ２を受信する。
【０１０８】
隅を除く外縁部に配置された機器１４の制御部２１は、隅の機器１４からのビーコン信号Ｘ２又は後述するＸ３を受信すると（Ｓ３１：ＹＥＳ）、自己のアドレス情報と、自己の周囲の機器１４から受信したアドレス情報の数と、受信したビーコン信号に含まれる情報と、を含むビーコン信号Ｘ３を送信する（Ｓ３２）。
【０１０９】
図１３は、隅を除く外縁部に配置された機器１４における信号の送受信を説明するための図である。図１３は、図７と同様にレイアウト図である。  
図１３において、隅の機器１４ｃ１の隣の機器１４ｐ１は、周囲の機器１４の数は５つであるので、周囲の機器１４から受信したアドレス情報の数は、「５」である。機器１４ｐ１のアドレスが、「００２２０１」であれば、機器１４ｐ１は、「００２２０１，５，００１１０１，３」の情報を含むビーコン信号Ｘ３を送信する。
【０１１０】
また、機器１４ｐ１の隣の機器１４ｐ２も、周囲の機器１４の数は５つであるので、周囲の機器１４から受信したアドレス情報の数は、「５」である。機器１４ｐ２のアドレスが、「００２２０２」であれば、機器１４ｐ２は、「００２２０２，５，００２２０１，５，００１１０１，３」の情報を含むビーコン信号Ｘ３を送信する。よって、ビーコン信号Ｘ３は、情報が連結されたデータストリングである。
【０１１１】
すなわち、アドレス情報の数「５」は、自己が２つの隅の機器間の外縁部に配置されていることを示す外縁部情報である。よって、Ｓ３２の処理は、自己がマトリクスの２つの隅の機器間に配置された機器であるとき、自己のアドレス情報と、２つの隅の機器間の外縁部に配置されていることを示す外縁部情報とを含む第４の信号（Ｘ３）を、出力強度をＬ１に高くして、設定装置３１へ無線により送信する送信部を構成する。
【０１１２】
よって、Ｓ３２で送信された情報は、設定装置３１により受信され、マトリクスの外縁部の機器１４の設置位置情報とアドレス情報のデータは、テーブルデータとして、所定のテーブルに格納される。
【０１１３】
Ｓ３２の後、制御部２１は、隅の機器１４のアドレス情報をいくつ取得したかを判定する（Ｓ３３）。制御部２１は、受信したビーコン信号中に、周囲の機器の数が３であるアドレス情報をいくつ取得したかによって判定される。
【０１１４】
例えば、機器１４ｐ１，１４ｐ２は、周囲の機器の数が１つであるアドレス情報を受信するので、図１１において、２つ又は４つでない、「それ以外」と判定される。  
また、図１３において、外縁部の真ん中の機器１４ｘ１は、２つの隅の機器１４ｃ１，１４ｃ２からの２つのアドレス情報を含むビーコン信号Ｘ３を受信する。よって、機器１４ｘ１は、周囲の機器の数が「３」であるアドレス情報を含む２つのビーコン信号Ｘ３を受信する。
【０１１５】
図１３において、他の外縁部の真ん中の機器１４ｘ２，１４ｘ３，１４ｘ４も同様に、周囲の機器の数が３であるアドレス情報を含む２つのビーコン信号Ｘ３を受信する。  
外縁部の真ん中の４つの機器１４ｘ１，１４ｘ２，１４ｘ３，１４ｘ４は、周囲の機器の数が２であるアドレス情報を含む２つのビーコン信号Ｘ３を受信するので、図１０のＳ３３において、「２つ」と判定される。
【０１１６】
４つの機器１４ｘ１，１４ｘ２，１４ｘ３，１４ｘ４の各制御部２１は、２つの隅の機器１４のアドレス情報と外側完了情報を含むビーコン信号Ｘ４を送信する（Ｓ３４）。  
図１３において、隅の機器１４ｃ２のアドレスが「００２１２３」であれば、機器１４ｘ１の制御部２１は、「１１０１，３，００２１２３，３，ＥＮＤ１」を含むビーコン信号Ｘ４を送信する。「ＥＮＤ１」は、外側完了情報すなわち終了情報である。
【０１１７】
すなわち、Ｓ３４の処理は、自己がマトリクスの２つの隅の機器１４間に配置された機器であるとき、隅情報を２つ受信すると、マトリクスの外縁部の機器群のアドレス情報と設置位置情報の対応付けのための情報を送信が終了したことを示す終了情報「ＥＮＤ」と、２つの隅の機器のアドレス情報とを含むビーコン信号Ｘ４を送信する送信部を構成する。
【０１１８】
Ｓ３５については、後述する。  
図８のＳ１３において、外縁部の複数の機器の内側に配置された機器１４の制御部２１は、図１１の処理を実行する。
【０１１９】
外縁部の複数の機器の内側に配置された機器１４の制御部２１は、無線通信Ｉ／Ｆ２２をメッシュネットワークの通信モードに切り替える（Ｓ４１）。  
図１４は、外縁部の複数の機器の内側に配置された機器１４における信号の送受信を説明するための図である。
【０１２０】
Ｓ４１の処理により、図１４において、一点鎖線で示す四角の枠ＩＢ１内の複数の機器１４は、メッシュネットワークの通信モードになる。  
図１１に戻り、枠ＩＢ１内の各機器１４は、ビーコン信号Ｘ４を４つ受信したか否かを判定する（Ｓ４２）。
【０１２１】
ビーコン信号Ｘ４を４つ受信していないとき（Ｓ４２：ＮＯ）、制御部２１は、ビーコン信号Ｘ４を受信したかを判定する（Ｓ４３）。  
ビーコン信号Ｘ４を受信したとき（Ｓ４３：ＹＥＳ）、制御部２１は、受信したビーコン信号Ｘ４は既に受信済みかを判定する（Ｓ４４）。
【０１２２】
受信した信号が既に受信済みでないとき（Ｓ４４：ＮＯ）、制御部２１は、所定のカウンタを１つインクリメントする（Ｓ４５）。  
Ｓ４５の後、制御部２１は、受信した信号をリレーするために転送し（Ｓ４６）、処理は、Ｓ４２に戻る。
【０１２３】
受信した信号が既に受信済みであるとき（Ｓ４４：ＹＥＳ）、処理はＳ４２に戻る。  
ビーコン信号Ｘ４を受信していないとき（Ｓ４３：ＮＯ）、制御部２１は、既に取得している周囲の８つの機器１４のアドレス情報から、受信したビーコン信号Ｘ２又はＸ３に含まれるアドレス情報を削除する（Ｓ４７）。
【０１２４】
マトリクス状に配置された全ての機器１４は、Ｓ８，Ｓ９において、他の機器１４から受信したビーコン信号Ｘ１に含まれるアドレス情報は、周囲アドレス情報としてＲＡＭに記憶される。例えば、図７の機器１４ｘ１１の制御部２１は、周囲の８つの機器１４から８つのアドレス情報を取得し、ＲＡＭに格納している。よって、Ｓ４７の処理により、ＲＡＭに記憶されているアドレス情報から、ビーコン信号Ｘ２，Ｘ３に含まれるアドレス情報が削除される。ビーコン信号Ｘ２，Ｘ３に含まれるアドレス情報は、既に対応付けのチェックが終了している機器１４のアドレス情報である。
【０１２５】
例えば、図７において、機器１４ｘ１１は、外縁部の３つの機器１４ｐ１１，１４ｐ１２，１４ｐ１３からビーコン信号Ｘ３を受信すると、ＲＡＭに格納された８つのアドレス情報から、３つの機器１４ｐ１１，１４ｐ１２，１４ｐ１３のアドレス情報が削除される。
【０１２６】
Ｓ４７の後、処理は、Ｓ４２に戻る。  
Ｓ４２において、Ｓ４５の所定のカウントの値が４以上であるときは（Ｓ４２：ＹＥＳ）、ビーコン信号Ｘ４を４つ受信しているので、制御部２１は、動作モードを設定モードに切り替える（Ｓ４８）。
【０１２７】
ビーコン信号Ｘ４を４つ受信しているということは、図１４における枠ＩＢ１の外周部の２４個の機器の設置位置情報とアドレス情報の対応関係の情報は、設定装置３１のメモリに格納されていることを意味する。
【０１２８】
よって、Ｓ４８の後、制御部２１は、枠ＩＢ１内のマトリクス状の複数の機器１４について、上述した処理を実行する。そのため、Ｓ４８の後、制御部２１は、ＲＡＭに格納されているアドレス情報の数を判定する（Ｓ４９）。
【０１２９】
すなわち、Ｓ４９では、ビーコン信号Ｘ１に含まれる前記各機器のアドレス情報から、ビーコン信号Ｘ２に含まれるアドレス情報とビーコン信号Ｘ３に含まれるアドレス情報を除いたアドレス情報の数に基づいて、自己が、外縁部の機器群を除いたマトリクス（ＩＢ１）の４つの隅の１つに配置された機器であるか、２つの隅の機器間に配置された機器であるかが判定される。
【０１３０】
ＲＡＭに格納されているアドレス情報の数は、Ｓ４７において削除されるため、当初の８個よりも少なくなる。  
ＲＡＭに格納されているアドレス情報の数が８つであるとき、処理は、Ｓ４９から、Ｓ４１へ戻る。この場合、機器１４は、図１４におけるに二点鎖線で示す枠ＩＢ２内の機器である。よって、処理は、Ｓ４１へ戻る。
【０１３１】
ＲＡＭに格納されているアドレス情報の数が５つであるとき、処理は、Ｓ４９から、図１０のＳ３１へ戻る。  
この場合、機器１４は、図１４における一点鎖線で示す枠ＩＢ１内の外縁部の機器１４、例えば機器１４ｐ２１，１４ｐ２２，１４ｐ２３の機器である。よって、処理は、図１０のＳ３１へ戻る。
【０１３２】
ＲＡＭに格納されているアドレス情報の数が１〜３つであるとき、処理は、Ｓ４９から、図９のＳ２３へ戻る。  
ＲＡＭに格納されているアドレス情報の数が３つであるとき、機器１４は、枠ＩＢ１内において隅の機器である。ＲＡＭに格納されているアドレス情報の数が３個である機器１４は、図１４において、枠ＩＢ１内の機器１４ｃ１１，１４ｃ１２，１４ｃ１３，１４ｃ１４のいずれかである。
【０１３３】
すなわち、Ｓ４９は、ビーコン信号Ｘ４を４つ受信すると、ビーコン信号Ｘ１、Ｘ２，Ｘ３に基づいて、自己がマトリクスの４つの隅の１つに配置された機器であるか、２つの隅の機器間に配置された機器であるかを判定する判定部を構成する。
【０１３４】
ＲＡＭに格納されているアドレス情報の数が０であるとき、制御部２１は、その機器１４はマトリクスの中心の機器であるとし（Ｓ５０）、設定装置３１へ設定完了通知を送信する（Ｓ５１）。Ｓ５１の後、処理は、図９のＳ２６へジャンプする。
【０１３５】
ＲＡＭに格納されているアドレス情報の数が１つである機器１４は、図１４において、マトリクスの中心の機器１４ｃｓである。  
よって、Ｓ５１において、機器１４ｃｓは、高い出力強度で、設定完了通知を設定装置３１へ送信する。
【０１３６】
また、ＲＡＭに格納されているアドレス情報の数が３つであるとき、処理は、Ｓ２３に移行し、制御部２１は、自己のアドレス情報と周囲の機器１４から受信したアドレス情報の数とを含むビーコン信号Ｘ２を送信する（Ｓ２３）。  
Ｓ２３の後、制御部２１は、他の機器１４から、ビーコン信号Ｘ２を受信したかを判定する（Ｓ２４）。
【０１３７】
他の機器１４からビーコン信号Ｘ２を受信したとき（Ｓ２４）、制御部２１は、隣の機器１４も隅の機器１４であるので、高い出力強度で、設定装置３１へ設定完了通知を送信する（Ｓ２５）。ここでは、例えば、複数の機器１４が、６×６のマトリクス状、８×８のマトリクス状などのｎが偶数の場合に、Ｓ２４でＹＥＳとなる。その場合は、ｎ×ｎのマトリクス状に配置された複数の機器１４のうち最後に隅の機器１４とされた４つの機器は、隣の機器１４からビーコン信号Ｘ２を受信する。
【０１３８】
よって、隣の機器１４からビーコン信号Ｘ２を受信した機器１４が設定装置３１へ設定完了通知を送信する（Ｓ２５）。  
図１０のＳ３３において、機器１４が、隅の機器１４のアドレス情報を４つ受信したとき、制御部２１は、高い出力強度で、設定装置３１へ設定完了通知を送信する（Ｓ３５）。
【０１３９】
図１５は、図１０のＳ３３において、機器１４が隅の機器１４のアドレス情報を４つ受信したときの場合の例を説明するための図である。  
最後の枠ＩＢ３内に、８つの機器１４が残った場合、中央部の４つの機器１４の制御部２１は、隅の機器１４のアドレス情報を４つ取得する。図１５において、中央部の４つの機器１４は、隅の機器１４のアドレス情報を４つ取得する。よって、このような場合に、設定完了通知が送信される（Ｓ３５）。図１５では、例えば、機器１４ｙ１が設定完了通知を送信する。
【０１４０】
よって、設定完了通知は、図９のＳ２５の場合、図１１のＳ３５の場合、及び図１３のＳ５１の場合の３つのうちのいずれかにおいて、送信されて、設定装置３１において受信される。
【０１４１】
すなわち、Ｓ２５、Ｓ３５及びＳ５１の処理は、自己がマトリクスの中心部に配置された機器であるとき、自己がマトリクスの中心部に配置された機器であることを示す所定の情報を含む信号として、設定完了通知の信号を送信する送信部を構成する。
【０１４２】
設定装置３１は、設定完了通知を受信すると、図示しないメッセージなどがＬＣＤ４３に表示され、作業者は、設定が完了したことを認識することができる。よって、作業者は、例えば、確認ボタンなどをタッチすることにより、複数の機器１４へ設定完了通知を受領したことの確認通知が送信される。
【０１４３】
各機器１４は、確認通知を受信すると、対応付け済みフラグをプロセッサ２１ａのＲＡＭ又は記憶装置２１ｂに格納する。  
各機器１４の制御部２１は、図９において、設定装置３１からの確認通知を受信したかを判定する（Ｓ２６）。確認通知が受信されると（Ｓ２６：ＹＥＳ）、制御部２１は、動作モードを通常モードに切り替える（Ｓ２７）。確認通知が受信されなければ（Ｓ２６：ＮＯ）、制御部２１は、何もしない。
【０１４４】
各機器１４は、通常モードに切り替わると、電波の出力強度は高くなり、制御装置１３からのコマンドに応じて動作が可能となる。  
なお、通常モードは、電波の出力強度が高くなく、メッシュネットワーク通信を行うモードでもよい。
【０１４５】
以上のように、設定装置３１は、マトリクス状に配置された複数の機器１４から取得した情報に基づいて、各機器の設置位置情報とアドレス情報の対応関係の情報を生成し、記憶装置４１ｂに記憶することができる。対応関係の情報は、ゲートウエイ装置１２及び制御装置１３に送信される。
【０１４６】
なお、設定装置３１で得られた対応関係の情報は、インターネット上のクラウドに含まれるサーバに記憶させ、ゲートウエイ装置１２及び制御装置１３は、そのクラウドから取得して利用するようにしてもよい。また、本実施形態では電波の出力強度をモード毎に変更する例について説明したが、受信強度を変更するようにしてもよい。
【０１４７】
以上のように、上述した実施形態によれば、無線による機器の設置位置情報とアドレス情報との対応付けを簡単かつ迅速に行うことができる無線機器、無線システム及び無線機器のアドレス情報と設置位置情報とを対応付けする方法を提供することができる。
【０１４８】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１４９】
１  無線システム、１１  管理装置、１２  ゲートウエイ装置、１３  制御装置、１４、１４ｃ１，１４ｃ２、１４ｃ１１，１４ｃ１２，１４ｃ１３，１４ｃ１４、１４ｃ２、１４ｃｓ、１４ｐ１、１４ｐ２、１４ｐ１１，１４ｐ１２，１４ｐ１３、１４ｐ２、１４ｐ２１，１４ｐ２２，１４ｐ２３、１４ｘ１、１４ｘ２，１４ｘ３，１４ｘ４、１４ｘ１１、１４ｘ２、１４ｘ３，１４ｘ４、１４ｙ１  機器、１５  照明器具、１６  照度センサ、１７  人検出センサ、２１  制御部、２１ａ  プロセッサ、２１ｂ  記憶装置、２１ｃ  メモリ、２２  無線通信インターフェース、２３  電源回路、２４  発光素子部、２５  ランプ、３１  設定装置、４１  制御部、４１ａ  プロセッサ、４１ｂ  記憶装置、４２  無線通信インターフェース、４３  ＬＣＤ、４４  タッチパネル装置、５１  設定画面、５２  アドレス情報表示部、５２ａ  チェックボックス、５３  レイアウト表示部、５４  点滅ボタン、５５  対応付けボタン、５６  終了ボタン。
【図１】
2019175558.tif 000003
【図２】
2019175558.tif 000004
【図３】
2019175558.tif 000005
【図４】
2019175558.tif 000006
【図５】
2019175558.tif 000007
【図６】
2019175558.tif 000008
【図７】
2019175558.tif 000009
【図８】
2019175558.tif 000010
【図９】
2019175558.tif 000011
【図１０】
2019175558.tif 000012
【図１１】
2019175558.tif 000013
【図１２】
2019175558.tif 000014
【図１３】
2019175558.tif 000015
【図１４】
2019175558.tif 000016
【図１５】
2019175558.tif 000017